(57)【特許請求の範囲】
【請求項１】
フォトダイオードに蓄積された電荷を転送するシフトレジスタが中央から前半部と後半部に分割され、前半部と後半部の各出力方向ごとに複数のシフトレジスタを有するＣＣＤイメージセンサと、
前記ＣＣＤイメージセンサからの出力を前半部と後半部の各出力方向ごとに信号処理しデジタル変換する手段、及び前記ＣＣＤイメージセンサで読み取った画像データに対してリニアリティ補正を行なう手段を有する画像処理部と、
を備えた画像読み取り装置において、
前記ＣＣＤイメージセンサの情報を取得する手段を備え、
前記ＣＣＤイメージセンサの情報が前記リニアリティ補正を行なう手段で使用される補正データ又は補正データの算出用ＣＣＤ特性データであり、
前記ＣＣＤ特性データが複数階調の原稿を読み取った各階調ごとの前半部と後半部の画像データであることを特徴とする画像読み取り装置。
【請求項２】
前記ＣＣＤイメージセンサの情報を取得する手段は、前記補正データ又は前記補正データの算出用ＣＣＤ特性データを情報記録媒体から取得することを特徴とする請求項１記載の画像読み取り装置。
【請求項３】
前記補正データ又は補正データの算出用ＣＣＤ特性データを記憶する手段を備えていることを特徴とする請求項１又は２記載の画像読み取り装置。
【請求項４】
前記ＣＣＤイメージセンサの情報は、シリアルナンバーを含むＣＣＤイメージセンサ固有の情報であることを特徴とする請求項１ないし３のいずれか１項に記載の画像読み取り装置。
【請求項５】
前記ＣＣＤイメージセンサの情報を取得する手段は、ネットワークを介してリニアリティ補正を行なう手段で使用される補正データまたは補正データ算出用ＣＣＤ特性データを取得することを特徴とする請求項１ないし４のいずれか１項に記載の画像読み取り装置。
【請求項６】
前記ＣＣＤ特性データから算出した補正データは、前半部または後半部のどちらか一方
にリニアリティを合わせる補正データであることを特徴とする請求項１ないし５のいずれか１項に記載の画像読み取り装置。
【請求項７】
前記リニアリティ補正を行う手段は、入力濃度と出力濃度との関係をテーブル化したルックアップテーブルを参照してリニアリティ補正を行うことを特徴とする請求項１ないし６のいずれか１項に記載の画像読み取り装置。
【請求項８】
請求項１ないし７のいずれか１項に記載の記載の画像読み取り装置を備えていることを特徴とする画像形成装置。
【発明の詳細な説明】
【技術分野】
【０００１】
本発明は、マルチチャンネルのシフトレジスタを有するＣＣＤイメージセンサを用いた画像読み取り装置、及びこの画像読み取り装置を備えたデジタル複写機、スキャナ、ファクシミリ、デジタル複合機等の画像形成装置に関する。
【背景技術】
【０００２】
従来より原稿等の画像情報を副走査方向にライン走査し、その画像情報を読み取り手段としての光電変換手段（ＣＣＤ）のセンサ面上に結像させ、該光電変換手段から得られる出力信号を利用して、該原稿等の画像情報を読み取るようにした画像読み取り装置が種々と提案されている。図１は従来から実施されている画像読み取り装置の一例を示す要部概略図である。
【０００３】
図１において画像読み取り装置１００は、コンタクトガラス１上に原稿５が搭載された場合に、原稿面照明用光源（ランプ）７を点灯し、第１キャリッジ９及び第２キャリッジ１２をスキャナモータにより右方向に移動走査して原稿５を読み取る読み取りを行う。このとき、原稿面照明用光源７により照明されたコンタクトガラス（原稿載置ガラス部）１上の原稿５の原稿画像情報は、走査用の第１、第２、第３のミラー８，１０，１１を介して結像レンズ１３によりＣＣＤ（光電変換手段）のセンサ面上に結像し、結像した原稿像を前記ＣＣＤで読み取り、ＣＣＤの出力信号をＣＣＤとともに読み取り回路基板１４に搭載されたＡＤ変換器によりデジタルデータに変換することにより、原稿画像データをデジタル的に読み取っている。デジタルデータに変換された原稿画像情報は、例えば出力装置に送られ、プリント出力として画像情報の出力が行われ、あるいは記憶装置に送られ入力画像情報として記憶される場合など各々の画像読み取り装置の情報として使用されている。
【０００４】
図１においてキャリッジ９，１２が移動走査して原稿画像を読み取る場合、原稿５の画像情報を副走査方向に走査する際には、例えば走査用の第１、第２キャリッジ９，１２を図中矢印方向（副走査方向）に一定の関係を維持しつつ移動させて行っている。このときの走査用の各キャリッジの走査速度は、例えば第１キャリッジ９の速度をＶとしたとき、第２キャリッジ１２の走査速度はＶ／２となるように設定されている。
【０００５】
このように原稿を走査して画像データを読み取る場合、原稿の読み取りに先立って図１に示すシェーディング補正用基準白板３の読み取りデータを走査して、シェーディング補正用データを生成し、メモリに記憶しておき、そのシェーディング補正用データを使用して原稿５の画像データ読み取りながら正規化することにより、該装置における光量分布ムラ、ＣＣＤの感度ムラ、そして出力変動等を補正し、原稿の画像情報を精度よく読み取っている。
【０００６】
また、近年のスキャナの高速化に伴い、より高速で動作するＣＣＤの要求も高まっている。この要求に応えるため、従来は処理速度を低減しながら読み取り速度を上げる必要から、ＣＣＤシフトレジスタを偶数画素と奇数画素に分けて出力するタイプのＣＣＤイメージセンサが一般的に使用されていた。
【０００７】
しかし、更なる読み取り速度の高速化を実現するために、ＣＣＤのシフトレジスタを４系統以上の複数のレジスタに分けて出力するＣＣＤイメージセンサも用いられるようになってきている。４系統のＣＣＤシフトレジスタの構成としては、同一方向に４系統出力するタイプのものと、前半／後半逆方向にそれぞれ２系統出力するタイプのものなどがある。図２に示したＣＣＤイメージセンサは、後者の例である。なお、図２におけるＣＣＤイメージセンサは公知のものであり、フォトダイオード２１、シフトゲート２２、ＣＣＤアナログシフトレジスタ２３、出力バッファ２４、出力端子ＯＳ１，ＯＳ２，ＯＳ３，ＯＳ４を備え、ＣＰからクランプクロックが、ＲＳからリセット電圧が、ＳＨからシフト制御信号が、φ１，φ２から転送クロックが、Φ２Ｂから駆動クロックがそれぞれ入力される。なお、φ２Ｂはφ２とは同じ駆動クロックであるが、出力段にのみ入力されるものである。一般に、ＣＣＤ出力タイミングがこのφ２Ｂのタイミングに基づいて決定される。
【０００８】
また、複数のＣＣＤシフトレジスタ２３を用いたイメージセンサにおいては、ＣＣＤ形成時のプロセス条件のばらつきによりシフトレジスタ最終段の電圧ポテンシャルがばらつくことから、アナログ出力遅延時間のばらつきを生じる場合がある。このようなアナログ出力遅延時間のばらつきは、低入射光量時のアナログ出力の直線性に影響を与え、図３及び図４に示すように複数のＣＣＤシフトレジスタ出力間の直線性の差異となってしまう。
【０００９】
すなわち、図３に示すように、φ２Ｂのポテンシャル井戸のばらつきにより出力遅延時間の差異が生じる。この差異は、真の信号とＣＣＤの出力との間には電荷量によって変わるが、取り残し分によるリニアリティの差である。そのため、φ２Ｂ出力とＣＣＤ出力とが１対１に対応しない。前記ＣＣＤシフトレジスタ出力間の直線性の差異は、図５に示すようにシェーディングで補正することができないものであるため、特に前半部と後半部逆方向に出力するタイプのＣＣＤにおいては、中間濃度から高濃度部での前半部／後半部のつなぎ目部分のレベル差が画像上問題となる場合が生じる。なお、図４及び図５においてＯＳｎは前半部のＣＣＤ出力をＯＳｍは後半部のＣＣＤ出力の一例をそれぞれ示す。
【００１０】
このようなＣＣＤシフトレジスタ間の直線性の差異を解決するために、従来より２系統（偶数／奇数画素出力タイプ）のＣＣＤシフトレジスタ毎の出力に対して、γ補正を行う方法が提示されている。また、上記述べたような、４系統出力タイプのＣＣＤに関しては、ＣＣＤシフトレジスタ毎の出力に対してγ補正を行う方法が例えば特許文献１，２に提示されている。
【００１１】
すなわち、特許文献１記載の発明では、ＣＣＤデバイスの違いによる左右のＣＣＤ特性の差のばらつきをなくし、機体間の左右の濃度差のない安定した画像濃度を再現するとともに、機体間の濃度ばらつきのない画像濃度再現を可能とするために、機体内から発生された階調パターンを画出し、この階調パターンの読み出し処理で得られる、各階調データに対する４チャンネル出力ＣＣＤの左側に相当する画像データを基準データとして右側に相当する画像データとの差により補正処理計算を行い、この計算された補正データを左右補正回路の左右補正テーブルに設定し、上記基準データとしての左側に相当する画像データに基づいてガンマ補正を行いガンマ補正テーブルに設定する構成となっている。
【００１２】
また、特許文献２記載の発明では、左右分割読出し方式のイメージセンサにおいて、信号の段差を減少させること、及び各出力チャンネルのリニアリティ特性を一致させるため、左右分轄読みだし方式のカラーリニアイメージセンサと、カラーリニアイメージセンサの各出力端子それぞれから出力された画像信号に所定の信号処理を施す複数の信号処理手段と、白色板と、グレー基準板と、前記白色板の画像信号のレベルを第１の所定レベルに略一致させ、前記グレー基準板の画像信号のレベルを第２の所定レベルに略一致させ、それ以外の濃度に対応する画像信号のレベルを前記第１及び第２の所定レベル間を補間して得られるレベルに調整する調整データを求めるＣＰＵと、前記調整データを用いて、前記対応する複数の信号処理手段から出力される画像信号を調整するＬＵＴとを有する構成となっている。
【特許文献１】特開２０００−１８８６８６号公報
【特許文献２】特開２００２−２１８１８６号公報
【発明の開示】
【発明が解決しようとする課題】
【００１３】
しかしながら、特許文献１に開示されている発明では、４系統出力データの前半部と後半部の奇数画素をアナログ合成し、同様に前半部と後半部の偶数画素をアナログ合成しているため、前半部と後半部のデータにクロストークが生じ異常画像を生じる可能性がある。
【００１４】
また、特許文献２に開示されている発明では、ＣＣＤの各シフトレジスタごとにＬＵＴを設けているため、メモリの増加によるコストの増大を招くことになってしまう。また、２つの基準となる読み取りレベルから補間して補正値を演算しているため、場合によっては補正の精度が不充分となる場合が生じる。
【００１５】
そこで、前半部の偶数画素と奇数画素を合成したデータと、後半部の偶数画素と奇数画素を合成したデータの、前半部と後半部のつなぎ目近傍のデータレベルを検出して、前半部の合成データまたは後半部の合成データに対してγ補正を行なうことによりつなぎ目近傍の画像濃度差を補正し、異常画像を防ぐ手法が考えられる。しかしγ補正に用いる補正データはＣＣＤの特性ごとに異なったデータであるため、読み取りモジュールを市場で交換したときなどは前述の補正データをそのまま適用することができない。
【００１６】
本発明は、このような従来技術の実情に鑑みてなされたもので、その目的は、市場で読み取りモジュールを交換した際に、特別な冶具を使用することなく読み取りモジュールに実装されているＣＣＤイメージセンサの特性データを取得しデータの更新を行い、前半部と後半部のリニアリティ補正を正確に行うことができるようにすることにある。
【課題を解決するための手段】
【００１７】
前記目的を達成するため、第１の手段は、フォトダイオードに蓄積された電荷を転送するシフトレジスタが中央から前半部と後半部に分割され、前半部と後半部の各出力方向ごとに複数のシフトレジスタを有するＣＣＤイメージセンサと、前記ＣＣＤイメージセンサからの出力を前半部と後半部の各出力方向ごとに信号処理しデジタル変換する手段、及び前記ＣＣＤイメージセンサで読み取った画像データに対してリニアリティ補正を行なう手段を有する画像処理部と、を備えた画像読み取り装置において、前記ＣＣＤイメージセンサの情報を取得する手段を備え、前記ＣＣＤイメージセンサの情報が前記リニアリティ補正を行なう手段で使用される補正データ又は補正データの算出用ＣＣＤ特性データであり、前記ＣＣＤ特性データが複数階調の原稿を読み取った各階調ごとの前半部と後半部の画像データであることを特徴とする。
第２の手段は、第１の手段において、前記ＣＣＤイメージセンサの情報を取得する手段は、前記補正データ又は前記補正データの算出用ＣＣＤ特性データを情報記録媒体から取得する。
第３の手段は、第１又は第２の手段において、前記補正データ又は補正データの算出用ＣＣＤ特性データを記憶する手段を備えていることを特徴とする。
第４の手段は、第１ないし第３のいずれかの手段において、前記ＣＣＤイメージセンサの情報は、シリアルナンバーを含むＣＣＤイメージセンサ固有の情報であることを特徴とする。
第５の手段は、第１ないし第４のいずれかの手段において、前記ＣＣＤイメージセンサの情報を取得する手段は、ネットワークを介してリニアリティ補正を行なう手段で使用される補正データまたは補正データ算出用ＣＣＤ特性データを取得することを特徴とする。
第６の手段は、第１ないし第５のいずれかの手段において、前記ＣＣＤ特性データから算出した補正データは、前半部または後半部のどちらか一方にリニアリティを合わせる補正データであることを特徴とする。
第７の手段は、第１ないし第６のいずれかの手段において、前記リニアリティ補正を行う手段は、入力濃度と出力濃度との関係をテーブル化したルックアップテーブルを参照してリニアリティ補正を行うことを特徴とする。
第８の手段は、第１ないし第７のいずれかの手段に係る画像読み取り装置を画像形成装置が備えていることを特徴とする。
【００２８】
後述の実施形態において、ＣＣＤイメージセンサは符号１０１に、リニアリティ補正を行う手段はリニアリティ補正部１０７ａ，１０７ｂに、ＣＣＤイメージセンサの情報を取得する手段は読み取りモジュール及びＣＰＵ１１０に、ネットワークは符号２１０にそれぞれ対応する。
【発明の効果】
【００２９】
本発明によれば、自身の画像読み取り装置で読み取ることが可能なＣＣＤイメージセンサの情報を有する情報記録媒体によって上記補正データまたは補正データ算出用のＣＣＤ特性データを取得するので、市場で読み取りモジュールを交換した際に、特別な冶具を使用することなく読み取りモジュールに実装されているＣＣＤイメージセンサの特性データを取得しデータの更新を行い、前半部と後半部のリニアリティ補正を正確に行うことができる。
【発明を実施するための最良の形態】
【００３０】
以下、本発明の実施形態について図面を参照して説明する。
【００３１】
第１の実施形態に係る画像読み取り装置は図１に示した従来例に係る画像読み取り装置と同等に構成されている。すなわち、原稿を搭載するコンタクトガラス１、シートスルー用ガラス２、シェーデイングデータ生成用の基準白板３、原稿を照射するランプ７及び第１ミラー８が搭載される第１キャリッジ９、第２ミラー１０・第３ミラー１１が搭載される第２キャリッジ１２、ＣＣＤイメージセンサ上に縮小結像させるレンズユニット１３、ＣＣＤイメージセンサを搭載した読み取り回路基板１４、また図示してはいないが第１・第２キャリッジを駆動するスキャナ駆動モータ、ホームポジションセンサ、原稿検知センサ等から構成される。
【００３２】
このような画像読み取り装置１００において、読み取り速度の高速化を実現するために、画像読み取り回路基板１４のＣＣＤイメージセンサには４系統（前半２系統：偶数画素及び奇数画素／後半２系統：偶数画素及び奇数画素）のアナログシフトレジスタを有するものが用いてある（図２）。
【００３３】
上記構成において、コンタクトガラス１上に原稿５が搭載された場合に、ランプ７を点灯し、第１キャリッジ９および第２キャリッジ１２をスキャナモータにより右方向に移動走査して原稿５を読み取る読み取り方式と、ランプ７を点灯し、第１キャリッジ９および第２キャリッジ１２は停止した状態のまま、原稿搬送装置４によって搬送される原稿６を読み取る読み取り方式が選択可能である。キャリッジを走査して、原稿を読み取る、所謂フラットベッド方式の場合には、原稿の読み取りに先立って基準白板３のデータを取得しシェーディング補正データを生成する。シェーディング補正データ生成後、原稿読み取り領域のスキャンが行われ読み取り動作と平行してシェーディング補正処理が実行される。
【００３４】
また、キャリッジは停止した状態のまま、原稿６を搬送して原稿画像データを読み取る所謂シートスルー方式の場合には、原稿６の読み取りに先立ってまず、キャリッジを基準白板３の下に移動させてシェーディング補正データを生成し、シートスルー読み取り位置に復帰してから原稿の搬送を開始して原稿読み取り動作を開始する。その他、特に説明しない各部は前述の従来例と同等に構成されているので、同等な各部には同一の参照符号を付し、重複する説明は省略する。
【００３５】
図６は本実施形態に係る画像読み取り回路基板及び画像処理部の構成を示すブロック図である。これらの図において、画像読み取り回路基板１００Ａは、原稿からの反射光を光電変換するＣＣＤ１０１、ＣＣＤ１０１の出力アナログ信号の増幅、その他を行い、ＡＤ変換する信号処理部１０３、ＣＣＤ１０１の駆動タイミング、その他の生成を行うゲートアレー１０４、及びＣＣＤ駆動ドライバ１０２等から構成されている。信号処理部１０３では黒オフセット調整、ゲイン調整等の処理が行われ、読み取った画像データの前半部の偶数画素と奇数画素を合成したデータと後半部の偶数画素と奇数画素を合成したデータを生成し、後段の画像処理回路基板１００Ｂへ伝送する。
【００３６】
画像処理回路基板１００Ｂでは伝送された画像データに対してシェーディング補正部１０５でシェーディング補正を行った後、前半部の合成データ又は後半部の合成データのいづれかに対してリニアリティ補正部１０７ａ，１０７ｂでリニアリティ補正（スキャナγ補正）を実行する。リニアリティ補正を前半部（リニアリティ補正部１０７ａ）又は後半部（リニアリティ補正部１０７ｂ）のいづれかに対して行うことにより、前半及び後半の読み取りレベルの差が補正される。このように前半部又は後半部の偶数画素と奇数画素を合成したデータに対して補正を行うため、必要最低限の補正手段（リニアリティ補正部−スキャナγ補正部−ＬＵＴ１０７ａ，１０７ｂ）によって最も効果的な補正を行うことが可能となる。
【００３７】
スキャナγ補正を行った後、前半部（偶数画素と奇数画素の合成データ）と後半部（偶数画素と奇数画素の合成データ）に分離しているデータを偶数画素と奇数画素にデータフォーマットに変換する処理がＦＢ→ＥＯ変換部１０８で行われ、画像処理部１０９で各種画像処理が実行される。
【００３８】
画像読み取り装置にはオペレータが操作を行うための操作パネル（部）２００が設けられており、画像読み取りを行うための設定等をこの操作パネル２００から行うことができる。なお、画像処理回路基板１００Ｂの制御はＣＰＵ１１０がメモリ１１１に格納されたプログラムに従って実行する。また、ＣＰＵ１１０はモータドライバ２０１を介してキャリッジ９，１２を駆動するスキャナモータ２０２の駆動制御も実行する。
【００３９】
通常の画像読み取りは、上記のようなスキャナ画像データの処理に加えてスキャナγ補正動作を行うが、スキャナγ補正値の演算を行うモードが操作パネル２００の設定により選択されると、図１０に示すようなグレースケールチャート５０の読み取りが実行され、スキャナγ補正値の演算及び補正値の保存が行われる。
【００４０】
ここで、スキャナγ補正に用いられる補正データについて説明する。  
工場調整時に調整用チャート（ｅｘ．２０段グレースケール）５０を読み取り、前半部（偶数／奇数画素の合成データ）と後半部（偶数／奇数画素の合成データ）のつなぎ目５１の両側のつなぎ目近傍５２，５３の画像レベルを検出する。画像レベルの検出は例えば１００×１００画素の領域の平均レベルを演算して求める。このとき、前半部もしくは後半部の基準となる方のスキャナγ変換データはリニアであるとみなして補正を行なう。つまり、前半部または後半部の基準としない方の画像データに対してのみ補正する値を演算して求める。
【００４１】
調整用チャート５０に２０段グレースケールを用いたとする。  
前半部の読み取りデータがそれぞれＦＤ（１），ＦＤ（２），…，ＦＤ（１９），ＦＤ（２０）
後半部の読み取りデータがそれぞれＬＤ（１），ＬＤ（２），…，ＬＤ（１９），ＬＤ（２０）
であったとすると、前半部を基準データに設定した場合、入力データＢＤ（ｎ）に対して出力データＦＤ（ｎ）となるようなＬＵＴ（ルックアップテーブル）を作成し、後半部（偶数／奇数画素の合成データ）に対してγ補正を行なう。このとき読み取った補正データ生成用グレースケールチャート５０の読み取りデータを図１１に、検出した原稿反射率に対応した読み取りレベルの例を図１２に示す。また、その結果から得られるγ補正特性（ＬＵＴテーブル）を図１３に示す。なお、図１１では、反射率と前半部データ、後半部データ、レベル差及びレベル差の差分の関係を示す。なお、ここで、前半部データ及び後半部データは平均値である。
【００４２】
このとき、各階調間の読み取りデータに相当する出力データに関しては、読み取った各階調のデータから補間して演算を行なう。補間演算に用いる方法は、読み取ったデータ間の直線補間や最小二乗法による補間などがあるが、補間の方法を特に指定するものではない。
【００４３】
ここで作成した補正データ（ＬＵＴ−図１３参照）は画像処理部のメモリ１１１に記憶されリニアリティ補正データに使われるが、市場にて読み取りモジュールが交換されるなどで、ＣＣＤ特性に変化があった場合にはこの補正データをそのまま使うことができない。そこで読み取りモジュールには予め搭載されているＣＣＤ１０１の情報を記したバーコード等の情報記録媒体を付しておく。読み取りモジュールの交換時には、操作部パネルの設定にてその情報記録媒体を読み取り、ＣＣＤ１０１の情報を取得する。ここでＣＣＤ１０１の情報とは例えば工場調整時に複数階調の原稿を読み取った各階調ごとの（前半部／後半部）画像データや、搭載されているＣＣＤ１０１のシリアルナンバー等である。
【００４４】
上記ＣＣＤ１０１の情報が、工場調整時に複数階調の原稿を読み取った各階調ごとの（前半部／後半部）画像データの場合、ＣＣＤ１０１の特性が得られるので、演算を行い搭載されたＣＣＤ１０１に対応したＬＵＴ（図１３）を作成し、リニアリティ補正データの更新を行なう。
【００４５】
上記ＣＣＤ１０１の情報が、搭載されたＣＣＤ１０１のシリアルナンバー等のそのＣＣＤ１０１を限定する情報の場合には、本体側に実装されているネットワーク２１０を通じてリニアリティ補正データおよび工場調整時に複数階調の原稿を読み取った各階調ごとの（前半部／後半部）画像データを取得し、ＬＵＴデータの更新を行なう。
【００４６】
この方法により、ＣＣＤ１０１の特性データを読み取りモジュールに保持していなくてもリニアリティ補正データおよびリニアリティ補正データ算出用ＣＣＤ特性データの更新を行なうことができ、メモリの低減によるコスト削減が可能となる。
【００４７】
このときの制御手順を図７ないし図９のフローチャートに示す。  
すなわち、図７に示すようにＣＣＤ特性データを取得する場合には、バーコードなどの情報記録媒体をコンタクトガラス１上に載置し（ステップＳ１０１）、前記情報記録媒体から情報を取得する場合には（ステップＳ１０２−Ｙ）、情報記録媒体の読み取りを実行し（ステップＳ１０３）、補正データ又は補正データ算出用ＣＣＤ特性データを取得し（ステップＳ１０４）、取得したデータをメモリ１１１に記憶する（ステップＳ１０５）。
【００４８】
一方、ＣＣＤシリアルナンバーからリニアリティ補正データを取得する場合には、図８のフローチャートに示すように、バーコードなどの情報記録媒体をコンタクトガラス１上に載置し（ステップＳ２０１）、情報を取得するのであれば（ステップＳ２０２−Ｙ）、情報記録媒体の読み取りを実行し（ステップＳ２０３）、ＣＣＤシリアルナンバーを取得する（ステップＳ２０４）。次いで、ネットワーク２１０を介してデータベースに接続し（ステップＳ２０５）、シリアルナンバーに基づいて補正データまたは補正データ算出用ＣＣＤ特性データを取得し（ステップＳ２０６）、取得したデータをメモリ１１１に保存する（ステップＳ２０７）。
【００４９】
このようにして取得したＣＣＤ特性データは図９のフローチャートに示すように、電源がＯＮされたときに、メモリ１１１のデータを読み出して補正データを演算し（ステップＳ３０１）、演算して得られた補正データをルックアップテーブル（ＬＵＴ）１０７ａ，１０７ｂに設定する（ステップＳ３０２）。
【００５０】
図１４は、図１の画像処理制御装置が適用される画像形成装置としてのデジタル複写機の機械的構成の概略を示す図である。同図において、デジタル複写機はモノクロ画像形成用のもので本体４００と、画像形成装置本体４００の上部の設置された画像読み取り装置５００と、さらにその上に装着された自動原稿給送装置（以下、「ＡＤＦ」と称す）５５０と、画像形成装置本体４００の同図において右側に配置された大容量給紙装置７００と、画像形成装置本体４００の同図において左側に配置された用紙後処理装置８００とから基本的に構成されている。
【００５１】
画像形成装置本体４００は画像書き込み部４１０と、作像部４２０と、定着部４３０と、両面搬送部４４０と、給紙部４５０と、垂直搬送部４６０と、手差し部４７０とからなる。
【００５２】
画像書き込み部４１０は画像読み取り装置５００で読み取った原稿の画像情報に基づいて発光源であるＬＤを変調し、ポリゴンミラー、ｆθレンズなどの走査光学系により感光体ドラム４２１にレーザ書き込みを行うものである。作像部４２０は感光体ドラム４２１と、この感光体ドラム４２１の外周に沿って設けられた現像ユニット４２２、転写ユニット４２３、クリーニングユニット４２４及び除電ユニットなどの公知の電子写真方式の作像要素とからなる。
【００５３】
定着部４３０は前記転写ユニット４２３で転写された画像を転写紙に定着する。両面搬送部４４０は定着部４２０の転写紙搬送方向下流側に設けられ、転写紙の搬送方向を用紙後処理装置８００側、あるいは両面搬送部４４０側に切り換える第１の切換爪４４１と、第１の切換爪４４１によって導かれた反転搬送路４４２と、反転搬送路４４２で反転した転写紙を再度転写ユニット４２３側に搬送する画像形成側搬送路４４３と、反転した転写紙を用紙後処理装置８００側に搬送する後処理側搬送路４４４とを含み、画像形成側搬送路４４３と後処理側搬送路４４４との分岐部には第２の切換爪４４５が配されている。
【００５４】
給紙部４５０は４段の給紙段からなり、それぞれピックアップローラ、給紙ローラによって選択された給紙段に収納された転写紙が引き出され、垂直搬送部４６０に導かれる。垂直搬送部４６０では、各給紙段から送り込まれた転写紙を転写ユニット４２３の用紙搬送方向上流側直前のレジストローラ４６１まで搬送し、レジストローラ４６１では、感光体ドラム４２１上の顕像の画像先端とタイミングを取って転写紙を転写ユニット４２３に送り込む。手差し部４７０は開閉自在な手差しトレイ４７１を備え、必要に応じて手差しトレイ４７１を開いて転写紙を手差しにより供給する。この場合もレジストローラ４６１で転写紙の搬送タイミングが取られ、搬送される。
【００５５】
大容量給紙装置７００は同一サイズの転写紙を大量にスタックして供給するもので、転写紙が消費されるにしたがって底板７０２が上昇し、常にピックアップローラ７０１から用紙のピックアップが可能に構成されている。ピックアップローラ７０１から給紙される転写紙は、垂直搬送部４６０からレジストローラ４６１のニップまで搬送される。
【００５６】
用紙後処理装置８００はパンチ、整合、ステイプル、仕分けなどの所定の処理を行うもので、この実施形態では、前記機能のためにパンチ８０１、ステイプルトレイ（整合）８０２、ステイプラ８０３、シフトトレイ８０４を備えている。すなわち、画像形成装置４００から用紙後処理装置８００に搬入された転写紙は、孔明けを行う場合にはパンチ８０１で１枚ずつ孔明けが行われ、その後、特に処理するものがなければ、プルーフトレイ８０５へ、ソート、スタック、仕分けを行う場合にはシフトトレイ８０４にそれぞれ排紙される。仕分けは、この実施形態は、シフトトレイ８０４が用紙搬送方向に直交する方向に所定量往復動することにより行われる。このほかに、用紙搬送路で用紙を用紙搬送方向と直交する方向に移動させて仕分けを行うこともできる。
【００５７】
整合する場合には、孔明けが行われた、あるいは孔明けが行われていない転写紙が下搬送路８０６に導かれ、ステイプルトレイ８０４において後端フェンスで用紙搬送方向を直交する方向が整合され、ジョガーフェンスで用紙搬送方向と平行な方向の整合が行われる。ここで、綴じが行われる場合には、整合された用紙束の所定位置、例えば角部、中央２個所など所定の位置がステイプラ８０３によって綴じられ、放出ベルトによってシフトトレイ８０４に排紙される。また、この実施形態では、下搬送路８０６にはプレスタック搬送路８０７が設けられ、搬送時に複数枚の用紙をスタックし、後処理中の画像形成装置本体４００側の画像形成動作の中断を避けることができるようになっている。
【００５８】
画像読み取り装置５００は、ＡＤＦ６００によってコンタクトガラス５１０上に導かれ、停止した原稿を光学的にスキャンし、第１ないし第３のミラーを経て結像レンズで結像された読み取り画像をＣＣＤやＣＭＯＳなどの光電変換素子によって読み取る。読み取られた画像データは、図示しない画像処理回路で所定の画像処理が実行され、記憶装置に一旦記憶される。そして、画像形成時に画像書き込み部４１０によって記憶装置から読み出され、画像データに応じて変調し、光書き込みが行われる。
【００５９】
ＡＤＦ５５０は両面読み取り機能を有するもので、画像読み取り装置５００のコンタクトガラス５１０設置面に開閉自在に取り付けられている。このＡＤＦ５５０では、原稿載置台５５１に載置された原稿が原稿読み取り時に自動的にコンタクトガラス５１０上に送り出される。
【００６０】
この画像読み取り装置は、デジタル複写機、デジタル複合機、ＦＡＸ、スキャナなどに適用することが可能である。
【００６１】
以上のように、本実施形態によれば、
１）自身の画像読み取り装置で読み取ることが可能なバーコード等の情報記録媒体と、読み取ったデータを基にリニアリティ補正データ作成手段を有するので、読み取りモジュール内にリニアリティ補正データを記憶したメモリを搭載した場合よりもコストの低減が可能となる。  
２）自身の画像読み取り装置で読み取った情報記憶媒体のデータをリニアリティ補正データ算出に用いることにより、専用の冶具等を使用して調整を行なう場合に対する作業工程の簡略化が可能となる。  
３）情報記録媒体から読み取った情報を基にネットワークを介してデータを取得することことができるので、大容量データの扱いが可能となる。  
４）複数階調の原稿を読み取ることにより、各階調におけるＣＣＤの前半部と後半部の特性の差異を明確化でき、補正量の算出を行なうことが可能となる。  
５）前半部または後半部のどちらかにリニアリティを合わせることで、補正に用いるデータの量を軽減することが可能となる。  
６）リニアリティ補正にＬＵＴ（ルックアップテーブル）を用いることにより、容易にリニアリティ補正を行なうことが可能となる。  
７）デジタル複写機，デジタル複合機，スキャナ，ＦＡＸ等の画像形成装置に本実施形態に係る画像読み取り装置を用いることにより、部品交換時においても交換部品の固有のデータを容易に入手することが可能となる。  
等の効果を奏する。
【図面の簡単な説明】
【００６２】
【図１】従来から実施されている画像読み取り装置の一例を示す要部概略図である。
【図２】本発明の実施形態に係る画像読み取り装置の前半／後半逆方向にそれぞれ２系統出力する４系統のＣＣＤシフトレジスタの構成を示す図である。
【図３】アナログ出力遅延時間のばらつきによるＣＣＤシフトレジスタ出力間の直線性の差異を示す図である。
【図４】駆動波形とＣＣＤシフトレジスタ出力間の直線性の関係を示す図である。
【図５】ＣＣＤシフトレジスタ出力間の直線性の差異がシェーディングで補正することができないこｌとを示す特性図である。
【図６】本実施形態に係る画像読み取り回路基板及び画像処理部の構成を示すブロック図である。
【図７】リニアリティ補正を行うためのＣＣＤ特性データを取得する処理手順を示すフローチャートである。
【図８】ＣＣＤシリアルナンバーを取得してネットワークからリニアリティ補正を行うためのＣＣＤ特性データを取得する処理手順を示すフローチャートである。
【図９】ＬＵＴに補正データを設定するときの処理手順を示すフローチャートである。
【図１０】本実施形態で読み込まれる調整用正チャート（グレースケールチャート）の一例を示す図である。
【図１１】グレースケールチャート読み取りデータの一例を示す図である。
【図１２】グレースケールチャート読み取り時の前半部／後半部のつなぎ目近傍の平均データを示す図である。
【図１３】グレースケールチャート読み取り時の前半部／後半部のつなぎ目近傍のスキャナγ補正データを示す図である。
【図１４】本実施形態が適用される画像形成装置の一例を示す図である。
【符号の説明】
【００６３】
１  コンタクトガラス
２  シートスルー用ガラス
３  基準白板
７  ランプ
８  第１ミラー
９  第１キャリッジ
１０  第２ミラー
１１  第３ミラー
１２  第２キャリッジ
１３  レンズユニット
１４  読み取り回路基板
５０  調整用チャート（グレースケールチャート）
１００  画像読み取り装置
１００Ａ  画像読み取り回路基板
１００Ｂ  画像処理回路基板
１０１  ＣＣＤ
１０２  ドライバ
１０３  信号処理部
１０４  ゲートアレー
１０５  シェーディング補正部
１０６  つなぎ目近傍最頻値検出部
１０７ａ，１０７ｂ  リニアリティ補正部（ＬＵＴ）
１０８  ＦＢ→ＥＯ変換部
１０９  画像処理部
１１０  ＣＰＵ
１１１  メモリ
２００  操作部（操作パネル）
２１０  ネットワーク
【図１】
0004616716.tif 000002
【図２】
0004616716.tif 000003
【図３】
0004616716.tif 000004
【図４】
0004616716.tif 000005
【図５】
0004616716.tif 000006
【図６】
0004616716.tif 000007
【図７】
0004616716.tif 000008
【図８】
0004616716.tif 000009
【図９】
0004616716.tif 000010
【図１０】
0004616716.tif 000011
【図１１】
0004616716.tif 000012
【図１２】
0004616716.tif 000013
【図１３】
0004616716.tif 000014
【図１４】
0004616716.tif 000015